(57)【要約】【課題】手動操作で時間設定変更を可能な電子機器の操作性を向上させる。【解決手段】時間を計測する時間計測手段と、時間計測手段の計測結果に基づいて、現在時間を管理する現在時間管理手段と、現在時間管理手段が現在時間を新たに管理し始める基準として、表示手段に表示された時間情報が示す時間を設定する時間設定手段と、開始受付手段が変更開始指示を受け付けた後、時間変更受付手段が操作者の指示を受け付ける前においては、時間設定手段が動作しないよう制御する一方、時間変更受付手段が操作者の指示を受け付けた後においては、時間設定手段が動作できるよう制御する制御手段とを備える。【選択図】図５
2009175072.tif 000002
【特許請求の範囲】
【請求項１】
時間を計測する時間計測手段と、
前記時間計測手段の計測結果に基づいて、現在時間を管理する現在時間管理手段と、
前記管理されている現在時間を変更するための操作を開始する旨の操作者の指示を受け付ける開始受付手段と、
前記開始受付手段が操作者の指示を受け付けると、前記管理されている現在時間を変更する際に用いる設定画面として時間情報を含む設定画面を表示する表示手段と、
前記表示手段に表示された時間情報を変更する又は変更可能な状態にする旨の操作者の指示を受け付ける時間変更受付手段と、
前記現在時間管理手段が現在時間を新たに管理し始める基準として、前記表示手段に表示された時間情報が示す時間を設定する時間設定手段と、
前記開始受付手段が前記変更開始指示を受け付けた後、
前記時間変更受付手段が操作者の指示を受け付ける前においては、前記時間設定手段が動作しないよう制御する一方、
前記時間変更受付手段が操作者の指示を受け付けた後においては、前記時間設定手段が動作できるよう制御する、制御手段と、
を備える電子機器。
【請求項２】
前記表示手段による前記設定画面の表示を終了させる旨の操作者の指示を受け付ける表示終了受付手段をさらに備え、
前記制御手段は、前記開始受付手段が前記変更開始指示を受け付けた後、前記時間変更受付手段が操作者の指示を受け付けているか否かに関わらず、前記表示終了受付手段が前記終了指示を受け付けると、前記現在時間管理手段で管理されている現在時間を変更しないで、前記設定画面の表示を終了させるよう前記表示手段を制御する、
請求項１に記載の電子機器。
【請求項３】
前記時間情報は、時間の単位ごとに時間を特定する複数の単位時間情報から構成され、
前記時間変更受付手段は、前記表示手段に表示された時間情報を構成する複数の単位時間情報のいずれかを変更する又は変更可能な状態にする旨の操作者の指示を受け付ける、
請求項１に記載の電子機器。
【発明の詳細な説明】
【技術分野】
【０００１】
本発明は、時間を計測し、現在時間を管理する電子機器に関する。特に、現在時間を管理するための基準時間を変更可能な電子機器に関する。
【背景技術】
【０００２】
デジタルスチルカメラや携帯電話端末等では、自装置の従う時間を装置内で管理しているものが多い。この時間は、正確であることが望ましい。そのため、多くの製品では、時間設定を操作者により変更可能にしている。
【０００３】
しかし、時間設定変更操作は煩わしい操作であり、誤操作を生じやすいものである。そこで、従来、時間設定変更操作を容易にするための発明がなされてきた。特許文献１に開示された発明は、そのようなものの一つである。
【０００４】
特許文献１に開示する発明によれば、時間設定変更を自動的に行うことができるので、操作を省略化できる。
【特許文献１】特開２００６−２４２８４１号公報
【発明の開示】
【発明が解決しようとする課題】
【０００５】
しかし、時間設定変更を完全に自動化するのは、却って使用者にとって不便な場合も生じる。そのため、時間設定変更を手動操作で行える機能を残しておくのが好ましい。但し、手動操作可能な電子機器の場合、操作性を向上させ、誤操作を未然に防ぐ等が可能であるものが望ましい。
【０００６】
そこで、本発明は、時間設定変更を手動操作で行う場合の操作性を向上させることを目的とする。
【課題を解決するための手段】
【０００７】
上記課題を解決するため、本発明の電子機器は、時間を計測する時間計測手段と、時間計測手段の計測結果に基づいて、現在時間を管理する現在時間管理手段と、管理されている現在時間を変更するための操作を開始する旨の操作者の指示を受け付ける開始受付手段と、開始受付手段が操作者の指示を受け付けると、管理されている現在時間を変更する際に用いる設定画面として時間情報を含む設定画面を表示する表示手段と、表示手段に表示された時間情報を変更する又は変更可能な状態にする旨の操作者の指示を受け付ける時間変更受付手段と、現在時間管理手段が現在時間を新たに管理し始める基準として、表示手段に表示された時間情報が示す時間を設定する時間設定手段と、開始受付手段が変更開始指示を受け付けた後、時間変更受付手段が操作者の指示を受け付ける前においては、時間設定手段が動作しないよう制御する一方、時間変更受付手段が操作者の指示を受け付けた後においては、時間設定手段が動作できるよう制御する制御手段とを備える。
【０００８】
これにより、時間変更受付手段が操作者の指示を受け付ける前においては、時間設定手段が動作しないので、操作者が誤って時間変更をしてしまうということを防止できる。
【０００９】
また、表示手段による設定画面の表示を終了させる旨の操作者の指示を受け付ける表示終了受付手段をさらに備え、制御手段は、開始受付手段が変更開始指示を受け付けた後、時間変更受付手段が操作者の指示を受け付けているか否かに関わらず、表示終了受付手段が終了指示を受け付けると、現在時間管理手段で管理されている現在時間を変更しないで、設定画面の表示を終了させるよう表示手段を制御するようにしてもよい。
【００１０】
これにより、操作者が意図しないうちに時間が変更してしまうという現象を防止できる。
【００１１】
また、時間情報は、時間の単位ごとに時間を特定する複数の単位時間情報から構成され、時間変更受付手段は、表示手段に表示された時間情報を構成する複数の単位時間情報のいずれかを変更する又は変更可能な状態にする旨の操作者の指示を受け付けるようにしてもよい。
【発明の効果】
【００１２】
本発明によれば、手動操作で時間設定変更を可能な電子機器の操作性を向上できる。
【発明を実施するための最良の形態】
【００１３】
（実施の形態１）
図１は、本発明の実施の形態１にかかるデジタルカメラ１００の構成を示すブロック図である。
【００１４】
光学系１２０は、被写体からの光を集光して、ＣＣＤイメージセンサー１２１上に被写体像を形成する。光学系１２０は、レンズ等で構成できる。光学系１２０のレンズ群の数はいかなるものでも構わない。
【００１５】
ＣＣＤイメージセンサー１２１は、被写体像を撮像して、画像データを生成する撮像素子である。本発明においては、ＣＣＤイメージセンサー１２１に替えて、例えばＣＭＯＳイメージセンサーやＮＭＯＳイメージセンサーなど、他の撮像素子を用いても良い。
【００１６】
ＡＤコンバーター１２２は、ＣＣＤイメージセンサー１２１で生成された画像データをアナログ形式のデータからデジタル形式のデータに変換する変換器である。
【００１７】
画像処理部１３０は、画像データに対して各種の処理を施す。各種処理としては、ガンマ補正、ホワイトバランス補正、ＹＣ変換処理、電子ズーム処理、圧縮処理、伸張処理等が挙げられるが、これらに限定されるものではない。また、これらの一部を欠く構成としてもよい。画像処理部１３０は、ハードワイヤードな電子回路で構成してもよいし、プログラムを用いたマイクロコンピューターなどで構成してもよい。また、コントローラー１５０などとともに１つの半導体チップで構成してもよい。
【００１８】
バッファメモリ１４０は、画像処理部１３０やコントローラー１５０のワークメモリとして機能する記憶手段である。バッファメモリ１４０は、ＤＲＡＭなどで実現できる。
【００１９】
フラッシュメモリ１４１は、画像データ等を記憶するための内部メモリとして機能する。コントローラー１５０は、画像処理部１３０で処理される画像データをフラッシュメモリ１４１に記憶させたり、メモリカード１６１に記憶させたりすることができる。
【００２０】
コントローラー１５０は、デジタルカメラ１００全体を制御する制御手段である。コントローラー１５０は、ハードワイヤードな電子回路で構成してもよいし、プログラムを用いたマイクロコンピューターなどで構成してもよい。また、画像処理部１３０などとともに１つの半導体チップで構成してもよい。また、コントローラー１５０は内部メモリを備えるようにしてもよい。
【００２１】
タイマー１５１は、時間を計測する。タイマー１５１は、一定時間毎に内部のカウンターを更新する。タイマー１５１は、デジタルカメラ１００の本体の電源がＯＦＦになっているときにも動作する。コントローラー１５０は、必要に応じて、タイマー１５１に対してカウンターの値を問い合わせる。コントローラー１５０は、問い合わせて得たカウンターの値と基準となる時間とを比較して、問い合わせた際の時刻を算出する。これにより、コントローラー１５０は、デジタルカメラ１００が従う時間を管理する。つまり、コントローラー１５０は、タイマー１５１の計測結果に基づいて、現在時間を管理するのである。また、コントローラー１５０は、現在時間を新たに管理し始める基準として、液晶モニタ１７０に表示された時間情報が示す時間を設定する時間設定手段としても機能する。
【００２２】
カードスロット１６０は、メモリカード１６１を着脱可能な接続手段である。カードスロット１６０は、メモリカード１６１を電気的及び機械的に接続可能である。また、カードスロット１６０は、メモリカード１６１を制御する機能を備えてもよい。
【００２３】
メモリカード１６１は、内部にフラッシュメモリ等の記憶部を備えた外部メモリである。メモリカード１６１は、画像処理部１３０で処理される画像データなどのデータを記憶可能である。本実施例では、外部メモリの一例としてメモリカード１６１を示すが、本発明はこれには限らない。例えば、光ディスク等の記憶媒体を外部メモリとして用いてもよい。
【００２４】
液晶モニタ１７０は、画像処理部１３０で処理された表示用の画像データが示す画像を表示する。液晶モニタ１７０は画像の他、デジタルカメラ１００の設定条件等を表示可能である。本実施例では、表示手段の一例として液晶モニタ１７０を示すが、本発明はこれには限らない。例えば、有機ＥＬディスプレイ等の表示手段を用いてもよい。
【００２５】
操作部１８０は、後述するレリーズ釦１９０などの操作手段を総称した部位である。コントローラー１５０は、操作部１８０が操作されるのに応じて、デジタルカメラ１００を制御する。
【００２６】
図２は、デジタルカメラ１００の背面図である。デジタルカメラ１００の背面及び上面に操作部１８０が配置されている。また、デジタルカメラ１００の背面には液晶モニタ１７０が配置されている。
【００２７】
決定釦１８１は、液晶モニタ１７０で表示されている設定値の候補を設定値として決定するための釦である。例えば、ある設定値の候補が液晶モニタ１７０上でカーソル表示されている場合に、決定釦１８１が押下操作されると、コントローラー１５０は、その設定値の候補を設定値として決定する。また、決定釦１８１が押下操作されることにより、コントローラー１５０は、時計設定のための設定画面を表示するように液晶モニタ１７０を制御する。つまり、決定釦１８１は、管理されている現在時間を変更するための操作を開始する旨の操作者の指示を受け付ける。液晶モニタ１７０は、決定釦１８１が操作者の指示を受け付けると、管理されている現在時間を変更する際に用いる設定画面として時間情報を含む設定画面を表示する。
【００２８】
上キー１８２、右キー１８３、下キー１８４及び左キー１８５は、共に十字キーを構成する。上キー１８２を押下操作すると、コントローラー１５０は、液晶モニタ１７０上に表示されているカーソルを上方向に移動させる等の制御を行う。右キー１８３は、カーソルを右方向に移動させるなどの指示を与えるための操作手段である。下キー１８４は、カーソルを下方向に移動させるなどの指示を与えるための操作手段である。左キー１８５は、カーソルを左方向に移動させるなどの指示を与えるための操作手段である。また、時間変更のための設定画面が液晶モニタ１７０に表示されている場合において、上キー１８２及び下キー１８４は、液晶モニタ１７０に表示された時間情報を変更する旨の操作者の指示を受け付ける操作手段であり、右キー１８３及び左キー１８５は、液晶モニタ１７０に表示された時間情報を変更可能な状態にする旨の操作者の指示を受け付ける操作手段である。
【００２９】
削除釦１８６は、画像データをフラッシュメモリ１４１やメモリカード１６１から削除するための操作手段である。また、時計設定のための設定画面が液晶モニタ１７０に表示されている際に削除釦１８６が押下操作されると、コントローラー１５０は、時計設定のための設定画面の表示を終了させるよう液晶モニタ１７０を制御する。
【００３０】
ディスプレイ釦１８７は、液晶モニタ１７０の表示方法を変更するための押下釦である。ディスプレイ釦１８７の押下操作に応じて、コントローラー１５０は、液晶モニタ１７０の画面上にガイドラインを表示させたり、表示を停止させたりする。
【００３１】
動作モードスイッチ１８８は、スライドスイッチである。動作モードスイッチ１８８を右方向にスライド操作することにより、コントローラー１５０を撮像モードに設定できる。動作モードスイッチ１８８を左方向にスライド操作することにより、コントローラー１５０を再生モードに設定できる。
【００３２】
動作モード釦１８９は押下釦である。動作モード釦１８９押下することにより、詳細な動作モードを設定できる。例えば、動作モードが撮像モードに設定されている場合において、動作モード釦１８９が押下操作されると、設定候補として、「通常撮像」「マクロ撮像」「夕焼け撮像」などが表示される。操作者は、十字キーを用いて、それらの中からいずれかを選択し、決定釦１８１を用いて決定できる。そして、コントローラー１５０は、決定された撮像モードでデジタルカメラ１００を制御する。また、動作モードが再生モードに設定されている場合において、動作モード釦１８９が押下操作されると、設定候補として、「通常再生」「スライドショー」などが表示される。操作者は、十字キーを用いて、それらの中からいずれかを選択し、決定釦１８１を用いて決定できる。そして、コントローラー１５０は、決定された再生モードでデジタルカメラ１００を制御する。
【００３３】
レリーズ釦１９０は、静止画像の撮像を開始するための釦である。ズームダイヤル１９１は、撮像時の撮像倍率を変更するための操作手段である。電源スイッチ１９２は、デジタルカメラ１００の電源を入り切りするためのスライドスイッチである。
【００３４】
なお、デジタルカメラ１００は、本発明の電子機器の一例である。タイマー１５１は、本発明の時間計測手段の一例である。コントローラー１５０は、本発明の現在時間管理手段の一例である。決定釦１８１及び液晶モニタ１７０で表示される設定画面は、本発明の開始受付手段の一例である。液晶モニタ１７０は、本発明の表示手段の一例である。上キー１８２〜左キー１８５の十字キーは、本発明の時間変更受付手段の一例である。決定釦１８１及びコントローラー１５０からなる構成は、本発明の時間設定手段の一例である。コントローラー１５０は、本発明の制御手段の一例である。削除釦１８６は、本発明の表示終了受付手段の一例である。
【００３５】
以上のように構成されたデジタルカメラ１００の時間変更動作を、図３から図５を用いて説明する。
【００３６】
図３は、デジタルカメラ１００の時間変更動作を説明するためのフローチャートである。コントローラー１５０は、決定釦１８１が押下されて時間変更のための設定画面表示の指示がされるか否かを監視する（Ｓ１１）。上記の指示があると、コントローラー１５０は、液晶モニタ１７０に時間変更のための設定画面を表示させる（Ｓ１２）。
【００３７】
図４は、時間変更のための設定画面の一例である。設定画面上には、設定画面表示時にコントローラー１５０が管理していた現在時刻を表示する。図４においては、コントローラー１５０は、設定画面時の現在時刻として「２００７年１２月２５日１４時４５分」を管理していたということが分かる。設定画面上に表示された時間情報は、時間の単位ごとに時間を特定する複数の単位時間情報から構成されている。すなわち、年、月、日、時、分から構成され、それぞれの単位にカーソルを移動可能である。そして、時間はカーソルを移動させることによって、単位毎に設定できるのである。
【００３８】
設定画面上の下部には、操作手段の意味を表示している。ゴミ箱の絵記号は、削除釦１８６を示す絵記号である。「ｅｓｃａｐｅ」は、削除釦１８６を押下することにより現在表示している設定画面の表示を中止することを意味する。三角形が左右に配置された絵記号は、右キー１８３及び左キー１８５を示す。その横に表示された「選択」は、右キー１８３又は左キー１８５を押下することにより、時間情報を変更すべき単位を選択可能であること、すなわち、変更したい時間単位にカーソルを移動できることを意味する。三角形が上下に配置された絵記号は、上キー１８２及び下キー１８４を示す。その横に表示された「変更」は、上キー１８２又は下キー１８４を押下することにより、時間情報を変更可能であることを意味する。
【００３９】
右キー１８３又は左キー１８５が押下操作されない間は、コントローラー１５０は、決定釦１８１の押下操作を無効にする。すなわち、右キー１８３又は左キー１８５が押下操作されない間は、決定釦１８１が押下操作されたとしても、コントローラー１５０は、設定画面上に表示されている時間情報を新たに管理し始める基準として設定するという動作を行わないのである。
【００４０】
図３に戻って、コントローラー１５０は、右キー１８３又は左キー１８５が押下されるか否かを監視する（Ｓ１３）。右キー１８３又は左キー１８５が押下されると、コントローラー１５０は、決定釦１８１の押下操作を有効にする。
【００４１】
この場合の設定画面の一例を図５に示す。図５に示すように、液晶モニタ１７０は、「決定」という絵記号を表示する。この絵記号は、決定釦１８１を示す。また、その絵記号の横の「決定」は、決定釦１８１を押下操作することにより、現在表示されている時間情報を新たな時間管理の基準として設定できることを意味する。
【００４２】
この状態で、コントローラー１５０は、「ｅｓｃａｐｅ」「選択」「変更」「決定」の４つの操作を受付可能である。
【００４３】
上キー１８２又は下キー１８４が操作されると、コントローラー１５０は、現在カーソルで指定されている単位の時間情報を変更する。また、右キー１８３又は左キー１８５が操作されると、コントローラー１５０は、カーソルを現在指定されている時間単位から別の時間単位に移動させる。このようにして、コントローラー１５０は、新たな時間情報を受け付ける（Ｓ１５）。
【００４４】
操作者が新たな時間を液晶モニタ１７０上に表示させて、決定釦１８１を押下操作すると（Ｓ１６）、コントローラー１５０は、設定画面上に表示されている時間情報を新たに管理し始める基準として設定する（Ｓ１７）。つまり、コントローラー１５０は、新たな時間情報が設定されると、タイマー１５１に現在のカウンター値を問い合わせ、そのカウンター値と新たな時間情報とを対応付けて記憶しておくのである。そして、コントローラー１５０は、必要に応じて、タイマー１５１にカウンター値を問い合わせ、そのときのカウンター値と新たな時間情報に対応付けられたカウンター値とを比較することにより、現在の時間を算出する。このようにして、コントローラー１５０は、現在時間を管理する（Ｓ１８）。
【００４５】
ここで、Ｓ１２からＳ１５の間のいずれかで削除釦１８６が押下操作されると、コントローラー１５０は、右キー１８３又は左キー１８５が操作者の指示を受け付けているか否かに関わらず、管理されている現在時間を変更しないで、設定画面の表示を終了させるよう液晶モニタ１７０を制御する。つまり、コントローラー１５０は、基準となる時間情報を更新することなく、設定画面を終了するのである。設定画面を表示中もタイマー１５１はカウンター値を更新し続けるので、削除釦１８６が押下されると、設定画面が表示される前の基準時間に基づいて、現在の時間を把握することができる。
【００４６】
仮に、削除釦１８６の押下操作による設定画面の終了という機能がない場合、時間変更の設定画面を一旦表示してしまうと、その設定画面を終了させたときに表示されていた時間情報に基づいて、常に時間管理が変更されることになる。そのため、例えば、誤って時間変更設定画面を表示してしまい、そのまま設定画面から抜けるのに数分かかってしまった場合には、設定画面を表示させた時点の時間を基準として新たな時間管理が開始されることになる。そうなると、設定画面を表示させていた数分分だけ時間が遅れてしまうことになる。具体例で示すと、設定画面に誤って入ったのが１４時４５分で、時間は変更せずに、２分後に決定釦１８１を押下して、その設定画面から抜けた場合、コントローラー１５０は、設定画面から抜けた時間を１４時４５分として新たに管理し始めるのである。このように削除釦１８６を設けない場合、操作者が意図しないうちに時間が遅れてしまうという現象が生じる。
【００４７】
これに対して、削除釦１８６を押下して設定画面を抜けるようにすると、上記の操作者の意図しない時間遅れは生じない。上記具体例で説明すると、設定画面に誤って入ったのが１４時４５分で、時間は変更せずに、２分後に削除釦１８６を押下して、その設定画面から抜けた場合、コントローラー１５０は、設定画面に入る前の基準を維持し続け、また、タイマー１５１はカウンター値を更新し続けるので、設定画面から抜けた時間は１４時４７分であるとして認識可能である。このように削除釦１８６を設けることにより、操作者が意図しないうちに時間が遅れてしまうという現象を防止できる。
【００４８】
以上のように、本発明の実施の形態１にかかるデジタルカメラ１００は、タイマー１５１とコントローラー１５０と決定釦１８１と液晶モニタ１７０と右キー１８３及び左キー１８５とを備える。タイマー１５１は、時間を計測する。コントローラー１５０は、タイマー１５１の計測結果に基づいて、現在時間を管理する現在時間管理手段として機能する。決定釦１８１は，管理されている現在時間を変更するための操作を開始する旨の操作者の指示を受け付ける開始受付手段として機能する。液晶モニタ１７０は、開始受付手段が操作者の指示を受け付けると、管理されている現在時間を変更する際に用いる設定画面として時間情報を含む設定画面を表示する。右キー１８３及び左キー１８５は、液晶モニタ１７０に表示された時間情報を変更可能な状態にする旨の操作者の指示を受け付ける時間変更受付手段として機能する。コントローラー１５０は、現在時間管理手段が現在時間を新たに管理し始める基準として、液晶モニタ１７０に表示された時間情報が示す時間を設定する時間設定手段として機能する。さらに、コントローラー１５０は、制御手段として機能し、開始受付手段が変更開始指示を受け付けた後、時間変更受付手段が操作者の指示を受け付ける前においては、時間設定手段が動作しないよう制御する一方、時間変更受付手段が操作者の指示を受け付けた後においては、時間設定手段が動作できるよう制御する。
【００４９】
これにより、時間変更受付手段が操作者の指示を受け付ける前においては、時間設定手段が動作しないので、操作者が誤って時間変更をしてしまうということを防止できる。
【００５０】
また、本実施の形態に示すように、削除釦１８６は、液晶モニタ１７０による設定画面の表示を終了させる旨の操作者の指示を受け付ける表示終了受付手段として機能するようにしてもよい。この場合、制御手段は、開始受付手段が変更開始指示を受け付けた後、時間変更受付手段が操作者の指示を受け付けているか否かに関わらず、表示終了受付手段が終了指示を受け付けると、現在時間管理手段で管理されている現在時間を変更しないで、設定画面の表示を終了させるよう液晶モニタ１７０を制御するようにしてもよい。
【００５１】
これにより、操作者が意図しないうちに時間が遅れてしまうという現象を防止できる。
【００５２】
また、本実施の形態に示すように、時間情報は、時間の単位ごとに時間を特定する複数の単位時間情報から構成されるようにしてもよい。この場合、時間変更受付手段は、液晶モニタ１７０に表示された時間情報を構成する複数の単位時間情報のいずれかを変更可能な状態にする旨の操作者の指示を受け付けるようにしてもよい。
【００５３】
（他の実施の形態）
本発明の実施の形態として、実施の形態１を例示した。しかし、本発明は、これに限定されず、他の実施の形態においても実現可能である。そこで、以下、本発明の他の実施の形態を説明する。
【００５４】
実施の形態１では、設定画面上に表示された時間情報が変更可能な状態になった場合に、制御手段は、時間設定手段が動作できるよう制御した。しかし、これには限らない。例えば、設定画面上に表示された時間情報が実際に変更された場合に、制御手段は、時間設定手段が動作できるよう制御するようにしてもよい。具体的には、時間変更設定画面において、上キー１８２又は下キー１８４が押下操作されたときに、制御手段は、時間設定手段が動作できるよう制御するようにしてもよい。
【００５５】
実施の形態１では、設定画面上に表示された時間情報が変更可能な状態になった場合に、決定釦１８１を示す絵記号を液晶モニタ１７０に表示するようにしたが、これには限らない。例えば、設定画面上に表示された時間情報が変更可能な状態になる前においては、決定釦１８１を示す絵記号を薄く液晶モニタ１７０に表示しておき、時間情報が変更可能な状態になった後に、その表示を通常の濃さに変更して表示するようにしてもよい。
【００５６】
実施の形態１では、設定画面上に表示された時間情報を単位時間ごとに区切って表示したが、これには限らない。例えば、一桁ごとに区切って表示してもよいし、一連の情報として表示してもよい。
【００５７】
本発明を実施する製品に、時間設定変更動作を自動で行う機能を付加するか否かは、本発明にとって本質的でない。要するに、手動操作により時間設定変更動作を行う電子機器であれば、本発明は適用可能である。具体的には、時間設定変更動作が手動でのみ行える電子機器であっても、手動に加えて自動でも時間設定変更動作が行える電子機器であっても、本発明を適用できる。
【００５８】
実施の形態１では、コントローラー１５０は、右キー１８３又は左キー１８５が押下操作されるかどうかを監視し（Ｓ１３）、それらのいずれかが操作されると、決定釦１８１の押下操作を有効にした。本発明は、これに限らず、右キー１８３又は左キー１８５が押下操作される前に、上キー１８２又は下キー１８４が押下操作された場合にも、コントローラー１５０が決定釦１８１の押下操作を有効にするようにしてもよい。
【００５９】
実施の形態１では、設定時間の変更操作を受け付ける手段として、上キー１８２及び下キー１８４を例示した。しかし、本発明はこれに限定されない。例えば、テンキーにより設定時間変更操作を受け付けてもよいし、音声認識等により設定時間変更操作を受け付けてもよい。
【産業上の利用可能性】
【００６０】
本発明は、手動操作で時間変更可能な電子機器であれば適用できる。例えば、携帯電話端末、携帯型オーディオ機器、カーナビゲーションシステム端末などに適用可能である。
【図面の簡単な説明】
【００６１】
【図１】本発明の実施の形態１にかかるデジタルカメラの構成を示すブロック図
【図２】本発明の実施の形態１にかかるデジタルカメラの背面図
【図３】本発明の実施の形態１にかかるデジタルカメラの時間変更動作を説明するためのフローチャート
【図４】時間変更のための設定画面の一例を示す模式図
【図５】時間変更のための設定画面の一例を示す模式図
【符号の説明】
【００６２】
１００    デジタルカメラ
１２０    光学系
１２１    ＣＣＤイメージセンサー
１２２    ＡＤコンバーター
１３０    画像処理部
１４０    バッファメモリ
１４１    フラッシュメモリ
１５０    コントローラー
１６０    カードスロット
１６１    メモリカード
１７０    液晶モニタ
１８０    操作部
１８１    決定釦
１８２    上キー
１８３    右キー
１８４    下キー
１８５    左キー
１８６    削除釦
１８７    ディスプレイ釦
１８８    動作モードスイッチ
１８９    動作モード釦
１９０    レリーズ釦
１９１    ズームダイヤル
１９２    電源スイッチ
【図１】
2009175072.tif 000003
【図２】
2009175072.tif 000004
【図３】
2009175072.tif 000005
【図４】
2009175072.tif 000006
【図５】
2009175072.tif 000007